(57)【特許請求の範囲】
【請求項１】
円形底板の外縁を囲繞する壁面を備えるとともに前記円形底板の中央に貫通孔を穿設した本体枠部材と、前記本体枠部材が取り付けられるとともに折り畳み可能な脚部材と、前記本体枠部材に取り外し自由に嵌着可能なリング状枠体に鼓面を張設した鼓面部材と、を有することを特徴とするユニット式太鼓。
【請求項２】
請求項１に記載のユニット式太鼓において、前記支持部材の円形底面と前記鼓面部材との間に前記円形底面の貫通孔よりも小さな放音孔を設けた脱着自在の音調整円板を有することを特徴とするユニット式太鼓。
【請求項３】
円形底板の外縁を囲繞する壁面を備えるとともに前記円形底板の中央に貫通孔を穿設した本体枠部材と、前記本体枠部材が取り付けられるとともに折り畳み可能な脚部材と、前記本体枠部材に取り外し自由に嵌着可能な円形板の上面に貼設した弾性部材からなる練習用鼓面部材と、を有することを特徴とするユニット式太鼓。
【発明の詳細な説明】
【０００１】
【発明の属する技術分野】
本発明は、特に練習用または教育用に好適な太鼓の構造に関する。
【０００２】
【従来の技術】
古来より日本人に親しまれている太鼓（和太鼓）は、素朴でありながらもその力強い打音の響きとリズム感溢れる演奏者の躍動によって聴衆に新鮮な感動を与える打楽器として世界的に再評価されている。
【０００３】
一般に和太鼓は、木製の樽形の胴体部とその両開口部に鋲打ち等して張設した牛皮等の鼓面とからなり、木枠の台座に載置固定される。
【０００４】
市販されている上記和太鼓は価格が十数万円の直径４０ｃｍ程度の小太鼓から価格が１００万円を超える直径１００ｃｍ程度の大太鼓まで種々あるが、鼓面の直径が４５ｃｍ（１．５尺）程度のもので重量が２０ｋｇ程度、価格が３０万円程である。
【０００５】
最近では、和太鼓はリズム感を養える誰でも使える打楽器として教育関係分野で注目されており、幼稚園や小中学校の情操教育、音楽教育の一貫として導入が検討されている。
【０００６】
【発明が解決しようとする課題】
しかしながら、従来の和太鼓は小型のものでも重く、持ち運びに不便で、保管場所の確保が困難であり、何よりも高価な打楽器であるため、学校教育用として多数揃えるにはコストがかかり過ぎるという問題がある。
【０００７】
また、和太鼓は音圧が強く音が響くので、練習場所の確保にも難しい面があった。
【０００８】
また、和太鼓はその大きさや鼓面の材質、張り具合でほぼ一義的に決まる音色や音量を有しており、完成品として音色、音量を状況に応じて変化させることはできない。
【０００９】
この点、練習用の太鼓としては音量を自由に下げたり、消音ができることが望まれるし、演奏本番用としても使用できることが好ましい。さらに音色を変化させることができれば合奏としても有用であろう。
【００１０】
そして、教育用として普及させ、また太鼓愛好者の裾野を拡げるには購入コストを従来の和太鼓の１／１０近くまで下げることが望まれる。
【００１１】
本発明は上記事情に鑑みてなされたものであり、小型で軽く、コンパクトに収納可能であり、格段に安価な練習用太鼓として、さらには幼稚園・小中学校での音楽教育用としても好適な太鼓を提供するものである。
【００１２】
【課題を解決するための手段】
本発明は、
（１）円形底板の外縁を囲繞する壁面を備えるとともに前記円形底板の中央に貫通孔を穿設した本体枠部材と、前記本体枠部材が取り付けられるとともに折り畳み可能な脚部材と、前記本体枠部材に取り外し自由に嵌着可能なリング状枠体に鼓面を張設した鼓面部材と、を有することを特徴とするユニット式太鼓を提供することにより、上記課題を達成する。
（２）上記（１）に記載のユニット式太鼓において、前記支持部材の円形底面と前記鼓面部材との間に前記円形底面の貫通孔よりも小さな放音孔を設けた脱着自在の音調整円板を有することを特徴とするユニット式太鼓を提供することにより、上記課題を達成する。
（３）円形底板の外縁を囲繞する壁面を備えるとともに前記円形底板の中央に貫通孔を穿設した本体枠部材と、前記本体枠部材が取り付けられるとともに折り畳み可能な脚部材と、前記本体枠部材に取り外し自由に嵌着可能な円形板の上面に貼設した弾性部材からなる練習用鼓面部材と、を有することを特徴とするユニット式太鼓を提供することにより、上記課題を達成する。
【００１３】
【発明の実施の形態】
本発明に係るユニット式太鼓の実施の形態例について図面に基づいて説明する。図１は本発明に係るユニット式太鼓の全体斜視図である。また、図２は本発明の請求項１に係るユニット式太鼓の太鼓本体断面図であり、図３は本発明の請求項２に係るユニット式太鼓の太鼓本体断面図であり、図４は本発明の請求項３に係るユニット式太鼓の太鼓本体断面図である。
【００１４】
本発明のユニット式太鼓１００の全体構造は、例えば図１または図２に示されるように、円形底板１の外縁を囲繞する環状の壁面２を備えるとともに前記円形底板１の中央に貫通孔３を穿設した木製の本体枠部材４と、前記本体枠部材４が取り付けられた折り畳みパイプ椅子のように折り畳み可能な金属製の脚部材５と、前記本体枠部材４に取り外し自由に嵌着可能な剛性のリング状枠体７に牛皮や馬皮、合成皮、合成繊維布、カーボン繊維布等の材質の鼓面８を張設した鼓面部材９と、を有する構造である。
【００１５】
前記本体枠部材４が和太鼓の胴体部に相当し、鼓面部材９は本体枠部材４から取り外し可能な鼓面に相当する。この本体枠部材４と鼓面部材９とからなる太鼓本体１０は図２に示されるように、円形底板１の裏面にネジ止めされた固定金具１１、１２によって脚部材５の回動自在の支持桿６に脱着自在に、脚部５ａに回動自在に取り付けられている。
【００１６】
前記本体枠部材４は厚さが概ね５０〜１００ｍｍ、直径３００〜４００ｍｍ程度なので、脚部材５を折り畳めばあたかも折り畳み椅子のようにコンパクトに収納可能である。なお、貫通孔３は本体枠部材４の外直径の２／３以上の直径を有するようにすれば、放音孔として豊かな音量と抜けのいい音になる作用効果を与える。
【００１７】
前記鼓面部材９は、本体枠部材４に丁度収まる程度の寸法であり、リング状枠体７に鼓面８を張った状態で浮き上がり防止ゴム１３が外周に数箇所配設され、且つ高さ１０〜３０ｍｍ程度の足１４が数箇所配設されており、前記円形底板１の上に間隔を多少空けて鼓面部材９が載置されるようになっている。
【００１８】
以上のような構造のユニット式太鼓１００は、構成が簡単であって、コスト的に安価に製造することができ、軽量で持ち運びや保管が容易であることは明らかである。
【００１９】
なお、図１の脚部材５は折り畳み椅子と似た形状であるが、その折り畳み自由な機構や形状は適宜設計可能であり、また、取り付けられる太鼓本体１０の高さ調節機構、位置調節機構を別途脚部材５に設けることも望ましい形態である。
【００２０】
次に、図３に示される太鼓本体２０は、前記太鼓本体１０の構造に加えて前記本体枠部材４の円形底面１と前記鼓面部材９との間に前記円形底面１の貫通孔３よりも小さな放音孔２１を設けた脱着自在の音調整円板２２を特に挿入した構造となっている。
【００２１】
この音調整円板２２は前記本体枠部材４内に収納可能な例えば厚さ５ｍｍ程度の木製であり、前記放音孔２１は前記本体枠部材４の円形底面１の貫通孔３よりも小さければよく、例えば直径５０〜１００ｍｍとする。大きさの異なる放音孔２１を有する音調整円板２２を種々揃えておくことにより、種々の音量、音色の太鼓を作ることができる。
【００２２】
次に、図４に示される太鼓本体３０は、練習用として有用であり、前記太鼓本体１０の構造における鼓面部材９に代えて、前記本体枠部材４に取り外し自由に嵌着可能な円形板２４の上面に貼設した弾性部材２５、２６からなる練習用鼓面部材２９を有する構造となっている。
【００２３】
上記構造では、前記本体枠部材４の円形底面１の貫通孔３は完全に練習用鼓面部材２９の円形板２４で塞がれており、弾性部材２６の上面をバチで強く叩いても殆ど響かず太鼓の音は出ない。しかしながら、弾性部材２６をバチで叩いた時の跳ね返りは通常の太鼓の場合の跳ね返りと近似しており、練習用として好適である。なお、弾性部材２５はやや硬めの厚さ２０〜３０ｍｍ程度のスポンジ状弾性部材であり、弾性部材２６は厚さ２〜３ｍｍ程度のゴム板状の耐久性に富む弾性部材とするのが好ましい。
【００２４】
以上、ユニット式太鼓１００として３つの太鼓本体１０、２０、３０の形態について和太鼓を前提に説明したが、本発明のユニット式太鼓は、各部材がユニット化されているので、本体枠部材４に対して適時鼓面部材を組み合わせることで種々の形態に為すことが可能であり、また、鼓面部材に使用する鼓面８によっては和太鼓に限らず洋太鼓としての適用も可能である。
【００２５】
なお、上記ユニット式太鼓１００は練習用、教育用に限らず、本番の演奏用としても使用することができることは言うまでもない。
【００２６】
【発明の効果】
本発明に係るユニット式太鼓は、上記のように構成されているため、
（１）小さく畳んで収納可能である。
【００２７】
（２）ユニット式であり、鼓面部材を選択することで音色や音量を変えることができる。
【００２８】
（３）コストが格段に安い。
【００２９】
（４）幼稚園、小中学校での音楽教育用に適する。
【００３０】
（５）音の響かない練習用として使用することができる。
【図面の簡単な説明】
【図１】本発明に係るユニット式太鼓の全体斜視図である。
【図２】本発明の請求項１に係るユニット式太鼓の太鼓本体断面図である。
【図３】本発明の請求項２に係るユニット式太鼓の太鼓本体断面図である。
【図４】本発明の請求項３に係るユニット式太鼓の太鼓本体断面図である。
【符号の説明】
１      円形底板
２      壁面
３      貫通孔
４      本体枠部材
５      脚部材
５ａ    脚部
６      支持桿
７      リング状枠体
８      鼓面
９      鼓面部材
１０、２０、３０      太鼓本体
１１、１２      固定金具
１３      浮き上がり防止ゴム
１４      足
２１      放音孔
２２      音調整円板
２４      円形板
２５、２６      弾性部材
２９      練習用鼓面部材
１００      ユニット式太鼓
【図１】
0003748227.tif 000002
【図２】
0003748227.tif 000003
【図３】
0003748227.tif 000004
【図４】
0003748227.tif 000005